(57)【要約】【課題】  壁パネルの壁面板と建物躯体の壁との間に殆ど隙間が取れない場合でも、内側からの取付けで天井パネルを壁パネルに取付けることができる。【解決手段】  壁面板１ａの上端部を上方に一体に突設して垂直連結板部２を形成すると共に該垂直連結板部２に上端縁から切り込まれたＬ字状の第１係止溝３を設けて第１壁パネル１を形成する。壁面板４ａの上端部を外側方に突設して上横フランジ部５を形成すると共に該上横フランジ部５に突出先端から突出基部側に向けて直線状の第２係止溝６を設けて第２壁パネル４を形成する。天井パネル７に設けた横向き係止突部８を第１壁パネル１のＬ字状の第１係止溝３の縦スリット３ａの上端開口から挿入して横スリット３ｂの溝奥３ｂ１に係止すると共に、天井パネル７の下向き係止突部９を第２係止溝６の先端開口から挿入して溝奥６ａに係止する。【選択図】図１
2008240378.tif 000002
【特許請求の範囲】
【請求項１】
壁面板の上端部を上方に一体に突設して垂直連結板部を形成すると共に該垂直連結板部に上端縁から切り込まれた縦スリットと縦スリットの下端に一端が連通する横スリットよりなるＬ字状の第１係止溝を設けて第１壁パネルを形成し、壁面板の上端部を外側方に突設して上横フランジ部を形成すると共に該上横フランジ部に突出先端から突出基部側に向けて直線状の第２係止溝を設けて第２壁パネルを形成し、対向する第１壁パネルの側端間に第２壁パネルを配設し、天井パネルの側端部のうち対向する第１壁パネルにそれぞれ対応する側端部に外側方に向けて先端が抜け止め用膨大部となった横向き係止突部を突設すると共に第２壁パネルに対応する側端部に下方に向けて下端が抜け止め用膨大部となった下向き係止突部を突設し、天井パネルに設けた横向き係止突部を第１壁パネルのＬ字状の第１係止溝の縦スリットの上端開口から挿入して横スリットの溝奥に係止すると共に、天井パネルの下向き係止突部を第２係止溝の先端開口から挿入して溝奥に係止して成ることを特徴とする浴室ユニットにおける壁パネルへの天井パネルの取付け構造。
【発明の詳細な説明】
【技術分野】
【０００１】
本発明は、浴室ユニットにおける壁パネルへの天井パネルの取付け構造に関するものである。
【背景技術】
【０００２】
浴室ユニットは建物躯体内の浴室形成用の空間に各部材を搬入して組み立て形成するものであり、床パンに壁パネルを立設し、更に、壁パネルの上端部に天井パネルを連結するようになっており、これらの組み立て施工に当って、建物躯体の壁と、形成する浴室ユニットの壁パネルの間の隙間が狭いような現場で支障なく組み立てができるように、壁パネルへの天井パネルの取付けを内側からの取付け施工で行えるようにすることが望まれており、更に、これに加えて、天井回し縁を設けないことも望まれている。
【０００３】
このように天井パネルを内側から取付け施工でき且つ天井回し縁を設けないようにした従来例として特許文献１が知られている。
【０００４】
上記従来例は、図３に示されるように、壁パネル２０の壁面板２１の上端部を外側方に突設して上横フランジ部２２を形成すると共に該上横フランジ部２２の上面に頭部が膨大となった突起２３を突設し、天井パネル２４の３辺に沿って大径孔と小径孔が連通しただるま孔２５を形成し、天井パネル２４のだるま孔２５の大径孔を壁パネル２０の突起２３に上方から図３の矢印イのように嵌め込んだ状態で図３の矢印ロ方向にスライドさせて頭部が膨大部となった突起２３をだるま孔２５の小径孔に挿入係止することで、天井パネル２４を壁パネル２０に取付けるようにしている。
【０００５】
このものは天井パネル２４を形成しようとする浴室ユニットの内側から取付けることができるので、建物躯体の壁と、形成する浴室ユニットの壁パネル２０の間に手を差し込んだりして取付け作業をする必要がなく、しかも、天井パネル２４のだるま孔２５の大径孔を壁パネル２０の突起２３に上方から嵌め込んだ状態で横方向にスライドさせるだけで取付けることができるので、取付けが簡単に行えるという特徴がある。
【０００６】
しかしながら、上記特許文献１に示された従来例にあっては、全ての壁パネル２０の壁面板２１の上端部に突起２３を設けた上横フランジ部２２を外側方に向けて突設しており、このため、すべての壁パネル２０の壁面板２１と建物躯体の壁との間に上記上横フランジ部２２の突出長さ以上の隙間が必要となり、壁パネル２０の壁面板２１と建物躯体の壁との間に殆ど隙間が取れないような現場には対応できないという問題があった。特に、梁型が張り出している箇所においては、壁パネル２０の壁面板２１の上端部と建物躯体に設けた梁との間に殆ど隙間がない場合がある。このような現場では浴室ユニットを組み立てて設置できないという問題がある。
【特許文献１】特開平４−２０６６４号公報
【発明の開示】
【発明が解決しようとする課題】
【０００７】
本発明は上記の従来の問題点に鑑みて発明したものであって、天井パネルの取付けに当たってスライド方向と直交する方向においては壁パネルの壁面板と建物躯体の壁との間に殆ど隙間が取れないような現場であっても、簡単且つ確実に内側からの取付けで天井パネルを壁パネルに取付けることができる浴室ユニットにおける壁パネルへの天井パネルの取付け構造を提供することを課題とするものである。
【課題を解決するための手段】
【０００８】
上記課題を解決するために本発明に係る浴室ユニットにおける壁パネルへの天井パネルの取付け構造は、壁面板１ａの上端部を上方に一体に突設して垂直連結板部２を形成すると共に該垂直連結板部２に上端縁から切り込まれた縦スリット３ａと縦スリット３ａの下端に一端が連通する横スリット３ｂよりなるＬ字状の第１係止溝３を設けて第１壁パネル１を形成し、壁面板４ａの上端部を外側方に突設して上横フランジ部５を形成すると共に該上横フランジ部５に突出先端から突出基部側に向けて直線状の第２係止溝６を設けて第２壁パネル４を形成し、対向する第１壁パネル１の側端間に第２壁パネル４を配設し、天井パネル７の側端部のうち対向する第１壁パネル１にそれぞれ対応する側端部に外側方に向けて先端が抜け止め用膨大部８ａとなった横向き係止突部８を突設すると共に第２壁パネル４に対応する側端部に下方に向けて下端が抜け止め用膨大部９ａとなった下向き係止突部９を突設し、天井パネル７に設けた横向き係止突部８を第１壁パネル１のＬ字状の第１係止溝３の縦スリット３ａの上端開口から挿入して横スリット３ｂの溝奥３ｂ１に係止すると共に、天井パネル７の下向き係止突部９を第２係止溝６の先端開口から挿入して溝奥６ａに係止して成ることを特徴とするものである。
【０００９】
このような構成とすることで、天井パネル７の取付けに当たっては、天井パネル７に設けた横向き係止突部８を第１壁パネル１のＬ字状の第１係止溝３の縦スリット３ａの上端開口から挿入し、その後、天井パネル７を横方向にスライドするのみで、横向き係止突部８を横スリット３ｂの溝奥３ｂ１に係止すると共に、下向き係止突部９を第２係止溝６の先端開口から挿入して溝奥６ａに係止することができ、浴室ユニットの内側からの取付け作業で簡単に天井パネル７を取付けることができるものである。
【００１０】
この場合、壁面板１ａの上端部を上方に一体に突設して垂直連結板部２を形成すると共に該垂直連結板部２に上端縁から切り込まれた縦スリット３ａと縦スリット３ａの下端に一端が連通する横スリット３ｂよりなるＬ字状の第１係止溝３を設けて第１壁パネル１を形成してあるので、天井パネル７を取付けるために天井パネル７をスライドするスライド方向と直交する方向に位置する第１壁パネル１には従来のように上横フランジ部を設ける必要がなく、したがって、第１壁パネル１の壁面板１ａと建物躯体の壁や梁との間に殆ど隙間が取れないような現場であっても支障なく天井パネル７の取付けができる。
【００１１】
しかも、Ｌ字状の第１係止溝３の横スリット３ｂの溝奥３ｂ１に先端が抜け止め用膨大部８ａとなった横向き係止突部８を係止し、第２係止溝６の先端開口から挿入して溝奥６ａに下端が抜け止め用膨大部９ａとなった下向き係止突部９するので、天井パネル７は取付け状態ではスライド方向と反対方向に移動が可能となっているだけで、スライド方向、スライド方向と直交する方向、上方には外れないようになっている。
【発明の効果】
【００１２】
本発明は、上記のように、壁面板の上端部を上方に一体に突設して垂直連結板部を形成すると共に該垂直連結板部に上端縁から切り込まれた縦スリットと縦スリットの下端に一端が連通する横スリットよりなるＬ字状の第１係止溝を設けて第１壁パネルを形成するので、天井パネルの取付けに当たってスライド方向と直交する方向においては壁パネルの壁面板と建物躯体の壁との間に殆ど隙間が取れないような現場であっても、簡単且つ確実に内側からの取付けで天井パネルを壁パネルに取付けることができ、特に、増改築において適用できる現場が大幅に増える。
【発明を実施するための最良の形態】
【００１３】
以下、本発明を添付図面に示す実施形態に基いて説明する。
【００１４】
本発明における浴室ユニットに用いる壁パネルとしては第１壁パネル１と第２壁パネル４の２種類の壁パネルが用いられる。
【００１５】
第１壁パネル１は、壁面板１ａの上端部を上方に一体に突設して垂直連結板部２を形成すると共に該垂直連結板部２に複数のＬ字状の第１係止溝３を設けて構成してある。第１係止溝３は、垂直連結板部２の上端縁から下方に垂直に切り込まれた縦スリット３ａと、縦スリット３ａの下端に一端が連通する水平なスリットよりなる横スリット３ｂとで構成してある。
【００１６】
第２壁パネル４は、壁面板４ａの上端部を外側方に突設して水平な上横フランジ部５を形成し、この上横フランジ部５に突出先端から突出基部側に向けて直線状の第２係止溝６を設けて構成してある。
【００１７】
上記のような構成の第１壁パネル１、第２壁パネル４を建て込んで浴室ユニットの壁を構成する。この場合、浴室ユニットの対向する一対の壁はそれぞれ１乃至複数の第１壁パネル１を並設して建て込むことで形成され、浴室ユニットの対向する他の一対の壁はそれぞれ１乃至複数の第２壁パネル４を建て込むことで形成される。壁パネルの建て込み及び壁パネル同士の連結は浴室ユニットにおける従来から公知の種々の建て込み及び連結方式を採用できる。
【００１８】
ここで、対向する一対の壁を構成するために並設して建て込んだ複数の第１壁パネル１は、図１に示すように、並設方向の片側に位置する第１壁パネル１のＬ状の第１係止溝３の横スリット３ｂの溝奥３ｂ１と、並設方向の他の片側に位置する第１壁パネル１のＬ状の第１係止溝３の横スリット３ｂの溝奥３ｂ１とが互いに向き合うように建て込まれる。
【００１９】
また、第１壁パネル１の垂直連結板部２に形成した第１係止溝３の横スリット３ｂのレベルと、第２壁パネル４の上横フランジ部５のレベルとが同じレベルとなるように第１壁パネル１と第２壁パネル４とを建て込むものである。
【００２０】
浴室ユニットの天井は２枚の天井パネル７により構成される。２枚の天井パネル７のうち一方の天井パネル７には点検蓋１２を着脱自在に取付ける点検口１１が設けてある。
【００２１】
天井パネル７の４辺（４側端部）のうち対向する一対の辺（対向する一対の側端部）には外側方に向けて複数の横向き係止突部８が突設してある。この横向き係止突部８は横向き棒状又は横向き片状をした突出部８ｂの先端部に突出部８ｂよりも大径となった抜け止め用膨大部８ａを設けて形成してある。また、対向する他の一対の辺（対向する他の一対の側端部）のうち一方の側端部には下方に向けて複数の下向き係止突部９が突設してある。この下向き係止突部９は下向き棒状又は下向き片状をした突出部９ｂの下端部に突出部９ｂよりも大径の抜け止め用膨大部９ａを設けて形成してある。ここで、横向き棒状又は横向き片状をした突出部８ｂの径又は横幅はＬ字状の第１係止溝３の溝幅よりも小さく、抜け止め用膨大部８ａの径又は横幅はＬ字状の第１係止溝３の溝幅よりも大きく設定してあち、また、下向き棒状又は下向き片状をした突出部９ｂの径又は横幅は第２係止溝６の溝幅よりも小さく、抜け止め用膨大部９ａの径又は横幅は第２係止溝６の溝幅よりも大きく設定してある。更に、対向する他の一対の辺（対向する他の一対の側端部）のうち他方の側端部には上方に向けて突出する連結縦片１０を突設してある。
【００２２】
上記のような構成の天井パネル７は、第１壁パネル１、第２壁パネル４を建て込んで形成する浴室ユニットの壁に囲まれた内部からの取付け作業により取付ける。
【００２３】
すなわち、２枚の天井パネル７のうち１枚目の天井パネル７を、第１壁パネル１、第２壁パネル４を建て込んで形成する浴室ユニットの壁に囲まれた内部から第１壁パネル１の上端より少し上となるように持ち上げる。この状態で天井パネル７の一対の側端部に設けた横向き係止突部８の棒状又は横向き片状をした突出部８ｂをそれぞれ対向する第１壁パネル１のＬ字状の第１係止溝３の縦スリット３ａの上端開口から下方に挿入する。棒状又は横向き片状をした突出部８ｂが縦スリット３ａの下端まで挿入されると、下向き係止突部９の下向き棒状又は下向き片状をした突出部９ｂが第２係止溝６の先端開口に向き合う。この状態で更に、天井パネル７を横方向にスライドさせて突出部８ｂを横スリット３ｂの溝奥３ｂ１に係止すると共に、突出部９ｂを第２係止溝６の先端開口から挿入して溝奥６ａに係止することで取付ける。ここで、抜け止め用膨大部８ａ、抜け止め用膨大部９ａがそれぞれ第１係止溝３の外面側、第２係止溝６の下面側に位置して抜け止めされることになる。
【００２４】
次に、２枚目の天井パネル７を、上記と同様にしてスライドする方向のみ上記と反対方向となるようにスライドさせて取付ける。
【００２５】
このようにして２枚の天井パネル７を取付けることで２枚の天井パネル７の連結縦片１０同士が直接当接又は帯状をしたパッキン材を介して当接することになるので、一方の天井パネル７に設けた点検口１１を利用してボルト、ナットあるいは連結具等を用いて両連結縦片１０同士を連結する。
【００２６】
このようにして、図２に示すように天井パネル７の取付けが完了する。その後、第１壁パネル１、第２壁パネル４と天井パネル７とのなすコーナ部分にシール材（図示せず）を充填する。
【００２７】
上記のように、本発明においては、天井パネル７を図１の矢印イ方向に下向きに少し移動させ、次に矢印ロ方向に横向きにスライドするという操作をするのみで簡単に取付けることができる。この場合、壁面板１ａの上端部を上方に一体に突設して垂直連結板部２を形成すると共に該垂直連結板部２に上端縁から切り込まれた縦スリット３ａと縦スリット３ａの下端に一端が連通する横スリット３ｂよりなるＬ字状の第１係止溝３を設けて第１壁パネル１を形成してあるので、天井パネル７を取付けるために天井パネル７をスライドするスライド方向と直交する方向に位置する第１壁パネル１には従来のように上横フランジ部を設けることなく取付けることができる。したがって、第１壁パネル１の壁面板１ａと建物躯体の壁や梁との間に殆ど隙間が取れないような現場であっても支障なく天井パネル７の取付けができる。
【００２８】
なお、天井パネル７を取り外すには、第１壁パネル１、第２壁パネル４と天井パネル７とのなすコーナ部分に充填したシール材を除去した後、上記の取付け順序と逆の順序で天井パネル７を取り外すことができる。
【図面の簡単な説明】
【００２９】
【図１】本発明の天井パネルを取付ける前の斜視図である。
【図２】同上の天井パネルを取付けた状態の斜視図である。
【図３】従来例の分解斜視図である。
【符号の説明】
【００３０】
１  第１壁パネル
１ａ  壁面板
２  垂直連結板部
３  第１係止溝
３ａ  縦スリット
３ｂ  横スリット
４  第２壁パネル
４ａ  壁面板
５  上横フランジ部
６  第２係止溝
７  天井パネル
８  横向き係止突部
８ａ  抜け止め用膨大部
９  下向き係止突部
９ａ  抜け止め用膨大部
【図１】
2008240378.tif 000003
【図２】
2008240378.tif 000004
【図３】
2008240378.tif 000005